(57)【特許請求の範囲】
【請求項１】
絶縁性ガスを封入したタンクと、
上記タンク内に設けられた固定接触子と、
上記タンク内に設けられ、上記固定接触子に対して接離し得、遮断時に上記固定接触子との間にアークを発生する可動接触子と、
上記固定接触子および上記可動接触子の少なくともいずれか一方に設けられ、上記両接触子上でアークを駆動する永久磁石とを備えたガス絶縁開閉器において、
上記固定接触子および上記可動接触子の少なくともいずれか一方が、ほぼ連続した環状のアーク走行部を備え、
上記固定接触子が、ほぼ円筒形の本体と、上記本体に設けられて上記可動接触子に弾性的に接触する複数の弾性接触部材とを備え、
上記アーク走行部が上記本体の上記可動接触子側の端部に設けられ、
上記複数の弾性接触部材は、上記固定接触子の軸方向に延びたスリットにより互いに分離されており、上記スリットは上記固定接触子の径方向に対して傾斜したものであることを特徴とするガス絶縁開閉器。
【請求項２】
上記アーク走行部が周方向に連続した環状部材であることを特徴とする請求項１に記載のガス絶縁開閉器。
【請求項３】
絶縁性ガスを封入したタンクと、
上記タンク内に設けられた固定接触子と、
上記タンク内に設けられ、上記固定接触子に対して接離し得、遮断時に上記固定接触子との間にアークを発生する可動接触子と、
上記可動接触子に設けられ、上記両接触子間のアークを駆動する永久磁石とを備え、
上記永久磁石が、上記可動接触子上で軸方向に弾性的に可動に取り付けられており、閉成時には固定接触子により押圧されて後退位置となり、開放時には弾性力により前進位置となり得ることを特徴とするガス絶縁開閉器。
【請求項４】
上記可動接触子上の上記永久磁石と逆極性の永久磁石を上記固定接触子上に設けたことを特徴とする請求項３に記載のガス絶縁開閉器。
【発明の詳細な説明】
【０００１】
【発明の属する技術分野】
この発明はガス絶縁開閉器に関し、特に閉成時には互いに嵌合し、開離時には間にアークを発生する接触子を持つガス絶縁開閉器に関するものである。
【０００２】
【従来の技術】
従来のガス絶縁開閉器はアークを回転させて遮断するために固定アーク接点内部に永久磁石を配置している。このようなガス絶縁開閉器は例えば出願中であって公知ではない本出願人による２００１年特許出願「ガス絶縁断路器」(出願人事件番号５３１１２０ＪＰ０１)に示されている。永久磁石を用いるガス絶縁開閉器は、実開昭５７−１９７１４４号公報、特開昭５９−９１６２１号公報および実開平５−６８０３９号公報にも記載されている。
【０００３】
図１１および図１２は、従来のガス絶縁開閉器の消弧室を示す概略断面図であり、図１１は固定アーク接点部を軸と垂直な方向より見た概略図、図１２は軸方向より見た図である。消弧室は絶縁ガスを封入したタンク（図示していない）内に配置される。これらの図において、１は筒状に配置された複数のフィンガー状の部材で構成された固定主接点、２は固定主接点１内の空間に設けられた固定アーク接点であって、固定主接点１および固定アーク接点２により固定接触子が構成されている。３は固定主接点１と固定アーク接点２に対向配置された筒状の可動接点であり、可動接触子を構成している。４は固定主接点１の周囲に設けられた固定側シールド、５は可動側シールド、６は集電子、７は接点間に発生するアーク、８は固定アーク接点内部に駆動軸方向に着磁された永久磁石である。
【０００４】
固定アーク接点２は、図１２によく示されているように、互いにスリット２ａにより周方向に分離されて環状に配置されたフィンガー部材２ｂにより構成されている。各フィンガー部材２ｂは軸方向に延びていて全体として円筒状を呈しており、内部に形成された空間内に永久磁石８が設けられている。永久磁石８からの磁界は図１１に示すようにアーク７に作用して、アークを駆動するのである。
【０００５】
【発明が解決しようとする課題】
このようなガス絶縁開閉器にあっては、アーク７は通常スリット２ａで隔てられたフィンガー部材２ｂで構成された固定アーク接点２上を回転するためアーク７はスリット２ａを飛び越える必要があり、その分回転しにくいために遮断性能が十分改善されていないという問題があった。また、アーク時間が長い場合にはアーク７が固定接点２の周囲に配置されたシールド４に転移する場合があり、その場合にはアーク７と永久磁石８との間の距離が大きくなるため磁界作用が弱くなり、アーク７が回転しにくく、遮断性能の改善の余地があるという問題があった。
【０００６】
従って、この発明の課題は上述のような従来のガス絶縁開閉器の問題点を解消し、アークの周方向移動を滑らかにすることであり、また遮断性能を改善したガス絶縁開閉器を得ることである。
【０００７】
【課題を解決するための手段】
この発明によれば、上述の課題を解決するための手段は次の通りである。
（１）絶縁性ガスを封入したタンクと、上記タンク内に設けられた固定接触子と、上記タンク内に設けられ、上記固定接触子に対して接離し得、遮断時に上記固定接触子との間にアークを発生する可動接触子と、上記固定接触子および上記可動接触子の少なくともいずれか一方に設けられ、上記両接触子上でアークを駆動する永久磁石とを備えたガス絶縁開閉器において、上記固定接触子および上記可動接触子の少なくともいずれか一方が、ほぼ連続した環状のアーク走行部を備えたことを特徴とするガス絶縁開閉器。
【０００８】
（２）上記固定接触子が、ほぼ円筒形の本体と、上記本体に設けられて上記可動接触子に弾性的に接触する複数の弾性接触部材とを備え、上記アーク走行部が上記本体の上記可動接触子側の端部に設けられている。
【０００９】
（３）上記固定接触子が、ほぼ円筒形の本体と、上記本体に設けられて上記可動接触子に弾性的に接触する複数の弾性接触部材とを備え、上記アーク走行部が上記本体の上記可動接触子側の端部に設けられた周方向に連続した環状部材であることを特徴とする請求項１記載のガス絶縁開閉器。
【００１０】
（４）上記複数の弾性接触部材は、上記固定接触子の軸方向に延びたスリットにより互いに分離されており、上記スリットは上記固定接触子の径方向に対して傾斜したものであることを特徴とする請求項２記載のガス絶縁開閉器。
【００１１】
（５）絶縁性ガスを封入したタンクと、
上記タンク内に設けられた固定接触子と、
上記タンク内に設けられ、上記固定接触子に対して接離し得、遮断時に上記固定接触子との間にアークを発生する可動接触子と、
上記可動接触子に設けられ、上記両接触子間のアークを駆動する永久磁石とを備えたことを特徴とするガス絶縁開閉器。
【００１２】
（６）上記永久磁石が、上記可動接触子上で軸方向に弾性的に可動に取り付けられており、閉成時には固定接触子により押圧されて後退位置となり、開放時には弾性力により前進位置となり得ることを特徴とする請求項５記載のガス絶縁開閉器。
【００１３】
（７）上記可動接触子上の上記永久磁石と逆極性の永久磁石を上記固定接触子上に設けたことを特徴とする請求項５あるいは６記載のガス絶縁開閉器。
【００１４】
【発明の実施の形態】
実施の形態１．
図１は、この発明の実施の形態１であるガス絶縁開閉器の消弧室を示す概略断面図である。また、図２は固定アーク接点部を軸と垂直な方向より見た概略図、図３は軸方向より見た図である。消弧室は絶縁ガスを封入したタンク（図示していない）内に配置される。図１において１は筒状に配置された複数のフィンガー状の部材で構成された固定主接点、１１は固定主接点１内の空間に設けられた固定アーク接点であって、固定主接点１および固定アーク接点１１により固定接触子１２が構成されている。３は固定主接点１と固定アーク接点１１に対向配置された筒状の可動接点であり、可動接触子１３を構成している。４は固定主接点１の周囲に設けられた固定側シールド、５は可動側シールド、６は集電子、７は接点間に発生するアーク、８は固定アーク接点内部に駆動軸方向に沿ってＮ極、Ｓ極またはＳ極、Ｎ極となる向きに配置された永久磁石を各々示す。固定アーク接点１１は後に説明するような折り返された構造になっており、折り返し部にはスリットが入れられている。
【００１５】
また、固定アーク接点１１は固定主接点１の内側に同心円的に配置されており、これら両接点１、１１の間の隙間に可動接点３が進退して駆動変位される。固定接触子１２の固定アーク接点１１は、ほぼ円筒形の本体１４と、本体１４の可動接触子１３側の端部に設けられて周方向に連続した環状のアーク走行部１５と、アーク走行部１５に設けられて軸方向に可動接触子１３から遠ざかる方向に折り返されて延び、互いにスリット１６により周方向に分離され、可動接触子１３に弾性的に接触する複数のフィンガー状の弾性接触部材１７とを備えている。
【００１６】
ガス絶縁開閉器が閉極状態にあるときには、電流は固定主接点１、可動接点３、および集電子６を通して通電している。ガス絶縁開閉器に開極指令が与えられると、図示していない駆動装置により可動接点３が図１の右方向に駆動される。それにより固定主接点１と可動接点３が開離し、固定主接点１を流れていた電流は固定アーク接点１１の折り返し部である弾性接触部材１７を通して流れる。さらに開極が進むと固定アーク接点１１の弾性接触部材１７と可動接点３とが開離し、その間にアーク７が発生する。さらに開極が進むとアーク７の固定接触子１２側の脚は、スリット１６により周方向に分離されたフィンガー状の弾性接触部材１７からスリット１６のない先端部である周方向に連続した環状のアーク走行部１５へと移動する。
【００１７】
発生したアーク７は永久磁石８の発生する磁界とアーク電流によるローレンツ力を受けて回転運動する。それによりアーク７は冷却され、消弧する。この場合、アーク７はスリットの無い固定接触子１２の先端部のアーク走行部１５上を駆動させられるため、スリットのあるフィンガー状の固定アーク接点上を移動する場合のようにスリットを飛び越えて回転する必要がなく、アーク７が回転しやすくなり、消弧しやすくなって、遮断性能が向上する。
【００１８】
このように、この発明のガス絶縁開閉器は、絶縁性ガスを封入したタンク（図示してない）内に設けられた固定接触子１２と、タンク内に設けられ、固定接触子１２に対して接離し得、遮断時に固定接触子１２との間にアーク７を発生する可動接触子１３とを備え、また、固定接触子１２および可動接触子１３間に跨って発生するアーク７をこれらの接触子１２および１３上で駆動させる永久磁石８とを備えている。図示の例では、この永久磁石８は固定接触子１２の固定アーク接点１１に設けられているが、固定接触子１２および可動接触子１３の少なくともいずれか一方に設けられていれば良い。ガス絶縁開閉器は更に、固定接触子１２および可動接触子１３の少なくともいずれか一方が、ほぼ連続した環状の表面を持ち、この表面に沿ってアーク７が滑らかに走行できるアーク走行部１５を備えている。
【００１９】
従って、この発明のガス絶縁開閉器によれば、アークが回転する際にスリットを飛び越える必要が無く、固定接触子１２上で回転しやすくなり、遮断性能が向上する。また、固定アーク接点１１の弾性接触部材１７は、折り返し部にスリット１６を設けてフィンガー状としてバネ性を持たせたもので、弾性接触部材１７とアーク走行部１５とは滑らかに連続しているので、アーク７がアーク走行部１５に転流しやすくなる。しかしながら、スリット１６は折り返し部のみにあるため固定アーク接点１１の先端部は連続した環状のアーク走行部１５となっていて、アーク７がその上で回転しやすく、遮断性能が向上する。
【００２０】
実施の形態２．
図４および図５には、この発明のガス絶縁開閉器の別の実施の形態を示し、図４はガス絶縁開閉器の消弧室の概略断面図であり、図５は固定アーク接点部を軸方向より見た図である。固定接触子２１は、円筒状に配置された複数の軸方向に延びた複数のフィンガー状の弾性接触部材２２と、弾性接触部材２２によって囲まれた空間内に、弾性接触部材２２の撓みを妨げないように設けられた円筒状の支持体２３と、支持体２３の先端に固着され、周方向に連続した環状のアーク走行部２４とを備えている。支持体２３は円筒形でなくとも、軸方向に延びた複数の支柱であってもよい。
【００２１】
ガス絶縁開閉器に開極指令が与えられると、固定接触子２１の弾性接触部材２２と可動接点３とが開離してその間にアーク７が発生する。更に開極が進むと、可動接点３と弾性接触部材２２との間の距離に比べて可動接点３とアーク走行部２４との間の距離の方が近いため、アーク７の固定接触子２１側の脚は弾性接触部材２２上のアーク走行部２４に転移する。アーク７は連続したアーク走行部２４上を駆動させられるため、スリットを飛び越えて回転する必要がなく、アークは回転しやすくなり、消弧しやすくなって遮断性能が向上する。また、アーク走行部２４を弾性接触部材２２とは別に設けたため、図１乃至図３に示す実施形態に比べて、固定アーク接点のスリットを長くすることができ、フィンガー状の弾性接触部材２２に十分なバネ性を持たせることができる。
【００２２】
実施の形態３．
図６および図７は、この発明の更に別の実施の形態であるガス絶縁開閉器の閉極時の固定接触子３１の固定アーク接点３２を軸方向に示す図である。図７は開極時の固定アーク接点部３２を示す図である。この固定接触子３１の固定アーク接点３２は全体としては図１１および図１２に示すものと同様であって、互いに軸方向のスリット３３により分離されて軸方向に延びた８本のフィンガー状の弾性接触部材３４を備えている。相違している点は、図１２のスリットが形成されている面が、固定接触子３１の軸心を含み、径方向あるいは放射状の平面内に形成されているのに対して、図６および図７のスリット３３は、軸方向に見て螺旋状あるいは渦巻き状に延びていることである。従って、スリット３３を含む面は平面でなく円弧状等の曲面であり、或るスリット３３の径方向内端と径方向外端とは周方向に位置がずれている。この構成により固定アーク接点３２はフィンガー状の弾性接触部材３４が広がった開極時でも図７に示すようにスリット３３の幅が比較的狭い状態になり、アークが弾性接触部材３４間で移動しやすくなる。
【００２３】
アーク７はスリットの隙間が狭い固定アーク接点３２上を駆動されるため、従来の幅の大きなスリットのあるフィンガー状の固定アーク接点３２上を移動する場合のように広いスリットを飛び越えて回転する必要がなく、アークが回転しやすく、消弧しやすくなる。すなわち、遮断性能が向上する。ここではスリット３３として円弧状に切れ目を入れたものが示されているが単に直線的に斜めに入れたスリットでも同様の効果がある。
【００２４】
実施の形態４．
図８は、この発明の別の実施の形態であるガス絶縁開閉器の消弧室を示す断面図である。消弧室は絶縁ガスを封入したタンク(図示していない)内に配置される。図８において１は筒状の固定主接点、２は縦にスリットを有するフィンガー状の固定アーク接点であり、固定主接点１および固定アーク接点２により固定接触子３５が構成されている。３は固定主接点１と固定アーク接点２に対向配置された筒状の可動接点であり、可動接点３の内部に設けられた永久磁石３６とともに可動接触子４１を構成している。４は固定主接点１の周囲に設けられた固定側シールド、５は可動側シールド、６は集電子、７は接点間に発生するアークを各々示す。可動接点３内部の永久磁石３６は駆動軸方向に沿ってＮ極、Ｓ極またはＳ極、Ｎ極となる向きに軸方向に着磁されて配置されている。また、固定アーク接点２は固定主接点１の内側に同心円的に配置されており、これら両接点１、２の間の隙間に可動接点３が、固定アーク接点２内部に永久磁石が進退するように駆動変位される。
【００２５】
このガス絶縁開閉器が図１１および図１２に示すガス絶縁開閉器に対して相違する点は、永久磁石３６が可動接触子４１側に設けられている点である。永久磁石３６は、円筒状の可動接点３の内側の空間内に、空間の底壁から同軸に固定接触子３５側に突出して設けられ、固定アーク接点２の内径よりも小さい外径を持っている。従って、閉位置では永久磁石３６は固定アーク接点２の内部に挿入され得る。
【００２６】
ガス絶縁開閉器に開極指令が与えられると、可動接点３が後退し、固定アーク接点２と可動接点３との間にアーク７が発生する。発生したアーク７は永久磁石３６の発生する磁界とアーク電流によるローレンツ力を受けて回転運動する。それによりアーク７は冷却され、消弧する。
【００２７】
しかしながら、アーク時間が長くなる場合にはさらに開極が進み、可動接点３の先端が図８で固定側シールド４よりも右側になりアーク７は図８に示すように固定側シールド４に転移する可能性がある。その場合、固定アーク接点２の内部に永久磁石を配置した場合にはアークと永久磁石間の距離が遠くなるため磁気駆動力が弱まり、アーク７が回転しにくくなり、消弧しにくくなるが、図８に示すように可動接点３の内部に永久磁石３６を配置することにより、アーク７が固定側シールド４に転移した場合でも、磁界の影響が強い可動接点３付近のアーク７への磁界強度は変わらないため安定した遮断性能を有することができる。
【００２８】
ここでは、永久磁石３６は閉位置では固定アーク接点２の内部にまで挿入されるように構成されているが、閉極時に固定アーク接点２の内部に入り込まずに、固定アーク接点２の先端部よりも先には進まぬような位置で可動接点３の内部に永久磁石３６を配置することもできる。その場合にはアーク７と永久磁石３６との間の距離は遠くなるが永久磁石３６を固定アーク接点２内に挿入する必要がないので永久磁石３６の直径を大きくして強い磁界を利用することができる。
【００２９】
実施の形態５．
図９は、この発明の更に別の実施の形態であるガス絶縁開閉器の消弧室を示す概略断面図である。図８のガス絶縁開閉器との相違点は、可動接点３の内部に設けられた永久磁石３７が、可動接点３の内壁により摺動案内されて軸方向に可動であることである。即ち永久磁石３７はほぼ円柱形で一端にフランジを持つ磁石ホルダー３８内に保持され、可動接点３のシリンダー部内に設けた圧縮ばね３９により軸方向に偏倚され、磁石ホルダー３８のフランジが可動接点３のシリンダー部の一端に設けたフランジと係合した位置に弾性的に保持されている。
【００３０】
また別の相違点は、永久磁石３７あるいは磁石ホルダー３８の外径が、固定アーク接点２の内径よりも大きくされていて、閉位置では固定アーク接点２が永久磁石３７あるいは磁石ホルダー３８の端面に当接してこれを可動接点３内に押し込むようにしてあることである。永久磁石３７あるいは磁石ホルダー３８の外径の上限は、可動接点３と固定アーク接点２との間の離接動作を妨げないような最大限の外径である。
【００３１】
ガス絶縁開閉器が閉極状態にある場合には、磁石ホルダー３８が固定アーク接点２に押されバネ３９が縮んだ状態になる。開極指令が与えられ、可動接点３が駆動されるに従いバネ３９が伸びるが、可動接点３が固定アーク接点２を離れる前に、磁石ホルダー３８のフランジと可動接点３のフランジとが係合して磁石ホルダー３８が固定アーク接点２から離れる。その後可動接点３が固定アーク接点２を離れ、その間にアーク７が発生する。
【００３２】
この構成によれば、閉極時にアーク７に磁界を作用する永久磁石３７がアーク７の近くに位置しているので永久磁石３７を有効に活用でき、固定アーク接点２内部に挿入されないために、永久磁石８の外径を固定アーク接点２の外径近くにまで大きくして磁界を強くすることができる。
【００３３】
この例では永久磁石３７および磁石ホルダー３８を駆動する手段として圧縮ばね３９を用いているが、他の弾性体を用いてもよいし、引っ張りの弾性力によってもよい。また、可動接点内部を流体シリンダ状にして駆動時に流体圧力により永久磁石３７とともに磁石ホルダー３８を動かしてもよい。
【００３４】
実施の形態６．
図１０は、この発明のなお別の実施の形態であるガス絶縁開閉器の消弧室を示す概略断面図である。図９に示すガス絶縁開閉器と比較すると、固定アーク接点２の内部に第２の永久磁石４０が設けられていることが相違している。第２の永久磁石４０の磁極の向きは可動接点３の内部の永久磁石３７の磁極の向きと反対であって、互いに反発する方向に着磁されている。図示の例では２つの永久磁石３７および４０はＳ極同士が向かい合うように配置されている。
【００３５】
このように永久磁石３７および４０を固定側と可動側の両方に配置することにより、アーク７に作用する磁界を強くしてアークを回転させる電磁力を強くすることができ、遮断性能が向上する。なお、この例では、第２の永久磁石４０と共に用いる永久磁石として、図９に示すように圧縮ばね３９により軸方向に弾性的に移動可能に支持された永久磁石３７を用いているが、図８に示すように可動接点３の内部に固定支持された永久磁石３６を用いた場合でも、アーク７に作用する磁界がある程度は大きくなりそれなりの効果が得られる。
【００３６】
以上に説明した通り、本発明のガス絶縁開閉器は様々な実施の形態を持つものであるが、これらの実施の形態の特徴を様々に組み合わせ、必要に応じて適当な変更を加えて用いることができる。
【００３７】
【発明の効果】
以上の如く本発明のガス絶縁開閉器による効果は次の通りである。
（１）ガス絶縁開閉器は、絶縁性ガスを封入したタンクと、上記タンク内に設けられた固定接触子と、上記タンク内に設けられ、上記固定接触子に対して接離し得、遮断時に上記固定接触子との間にアークを発生する可動接触子と、上記固定接触子および上記可動接触子の少なくともいずれか一方に設けられ、上記両接触子上でアークを駆動する永久磁石とを備えたガス絶縁開閉器において、上記固定接触子および上記可動接触子の少なくともいずれか一方が、ほぼ連続した環状のアーク走行部を備えているので、アークが固定接触子の連続した環状のアーク走行部に沿って回転させられ、スリットを飛び越える必要が無いため、アークの回転が容易に滑らかになり、ガス絶縁開閉器の遮断性能を改善できる。
【００３８】
（２）上記固定接触子が、ほぼ円筒形の本体と、上記本体に設けられて上記可動接触子に弾性的に接触する複数の弾性接触部材とを備え、上記アーク走行部が上記本体の上記可動接触子側の端部に設けられているので、アーク駆動が容易であると共に、固定接触子の固定アーク接点と可動接触子の可動接点との間に適当な接触圧力を与えることができ、アークが固定アークコンタクトに転流しやすくなる。
【００３９】
（３）上記固定接触子が、ほぼ円筒形の本体と、上記本体に設けられて上記可動接触子に弾性的に接触する複数の弾性接触部材とを備え、上記アーク走行部が上記本体の上記可動接触子側の端部に設けられた周方向に連続した環状部材であるので、アーク駆動が容易であると共に、弾性接触部材の有効ばね長さを大きくして可動接点との接圧を強くすることができるため、アークが転流しやすくなる。
【００４０】
（４）上記複数の弾性接触部材は、上記固定接触子の軸方向に延びたスリットにより互いに分離されており、上記スリットは上記固定接触子の径方向に対して傾斜したものであるので、  開極状態でも固定アーク接点の各フィンガー状の弾性接触部材間のスリットの周方向幅が、アーク駆動に対して実効的に小さくなり、アークが回転しやすくなり、遮断性能が向上する。
【００４１】
（５）また、ガス絶縁開閉器は、絶縁性ガスを封入したタンクと、上記タンク内に設けられた固定接触子と、上記タンク内に設けられ、上記固定接触子に対して接離し得、遮断時に上記固定接触子との間にアークを発生する可動接触子と、上記可動接触子に設けられ、上記両接触子間のアークを駆動する永久磁石とを備えているので、アーク時間が長くなり、アークがシールドに転移した場合でも最も磁石の影響の強い可動接点付近のアークに対する磁界強度は変わらないため安定した遮断性能を得ることができる
【００４２】
（６）上記永久磁石が、上記可動接触子上で軸方向に弾性的に可動に取り付けられており、閉成時には固定接触子により押圧されて後退位置となり、開放時には弾性力により前進位置となり得るので、可動接点内部の永久磁石の直径を大きくすることができるためアークに及ぼす磁界が強くなり、遮断性能が向上する。
【００４３】
（７）上記可動接触子上の上記永久磁石と逆極性の永久磁石を上記固定接触子上に設けたので、アークに作用する磁界を強くすることができ、アークは回転しやすくなり、遮断性能が向上する。
【図面の簡単な説明】
【図１】  この発明のガス絶縁開閉器の消弧室を示す概略断面図である。
【図２】  図１のガス絶縁開閉器の固定アーク接点部を軸と垂直な方向に見た概略図である。
【図３】  図１のガス絶縁開閉器の固定アーク接点部を軸方向に見た概略図である。
【図４】  この発明の別の実施形態のガス絶縁開閉器の消弧室を示す概略断面図である。
【図５】  図４のガス絶縁開閉器の固定アーク接点部を軸方向に見た概略図である。
【図６】  この発明の更に別の実施の形態のガス絶縁開閉器の固定アーク接点部の閉位置の状態を軸方向に見た概略図である。
【図７】  図６の固定アーク接点部の開位置の状態を軸方向に見た概略図である。
【図８】  この発明の別の実施形態のガス絶縁開閉器の消弧室を示す概略断面図である。
【図９】  この発明の更に別の実施形態のガス絶縁開閉器の消弧室を示す概略断面図である。
【図１０】  この発明のなお別の実施形態のガス絶縁開閉器の消弧室を示す概略断面図である。
【図１１】  従来のガス絶縁開閉器の消弧室を軸と垂直な方向に見た概略断面図である。
【図１２】  従来のガス絶縁開閉器の消弧室を軸方向に見た概略断面図である。
【符号の説明】
７  アーク、８、３６、４０  永久磁石、１２  固定接触子、１３  可動接触子、１４  本体、１５  アーク走行部、１６、３３  スリット、１７  弾性接触部材、２４  環状部材。
【図１】
0004197406.tif 000002
【図２】
0004197406.tif 000003
【図３】
0004197406.tif 000004
【図４】
0004197406.tif 000005
【図５】
0004197406.tif 000006
【図６】
0004197406.tif 000007
【図７】
0004197406.tif 000008
【図８】
0004197406.tif 000009
【図９】
0004197406.tif 000010
【図１０】
0004197406.tif 000011
【図１１】
0004197406.tif 000012
【図１２】
0004197406.tif 000013